(57)【特許請求の範囲】
【請求項１】
情報を表示する表示部と、
薬剤を識別可能な薬剤識別情報と、前記薬剤の処方量を示す処方量情報とを取得する取得部と、
前記薬剤識別情報と、前記薬剤の適応症を示す適応症情報と、患者の属性を示す患者属性情報と、前記薬剤の通常用量の最小量として予め設定された最小通常用量情報と、前記薬剤の通常用量の最大量として予め設定された最大通常用量情報とを対応付けて記憶する記憶部と、
前記取得部が前記薬剤識別情報および前記処方量情報とともに前記患者属性情報を取得した場合、前記取得部により取得された前記薬剤識別情報および前記患者属性情報に対応する前記最小通常用量情報および前記最大通常用量情報を前記記憶部から読み出し、
前記記憶部から読み出された前記最小通常用量情報が示す最小通常用量から前記記憶部から読み出された前記最大通常用量情報が示す最大通常用量までの範囲をグラフで表示し、かつ、前記取得部により取得された前記処方量情報が示す前記処方量を前記グラフにおいて所定形状の画像で示すように前記表示部を制御する制御部と、を備える、
処方薬管理装置。
【請求項２】
前記制御部は、
前記取得部が前記薬剤識別情報および前記処方量情報とともに患者の病名を示す病名情報を取得した場合、前記取得部により取得された前記薬剤識別情報および前記病名情報に示される病名と同じ名称の適応症を示す前記適応症情報に対応する前記最小通常用量情報および前記最大通常用量情報のみを前記記憶部から読み出し、
前記適応症の前記最小通常用量から前記最大通常用量までの範囲のみを前記グラフで表示し、かつ、前記取得部により取得された前記処方量情報が示す前記処方量を前記グラフにおいて前記画像で示すように前記表示部を制御し、
前記取得部が前記薬剤識別情報および前記処方量情報を取得し、前記病名情報を取得しなかった場合、前記取得部により取得された前記薬剤識別情報および前記適応症情報に示される全ての適応症に対応する前記最小通常用量情報および前記最大通常用量情報を前記記憶部から読み出し、
前記適応症ごとに前記最小通常用量から前記最大通常用量までの範囲を前記グラフで表示し、かつ、前記取得部により取得された前記処方量情報が示す前記処方量を前記グラフにおいて前記画像で表示すように前記表示部を制御する、
請求項１に記載の処方薬管理装置。
【請求項３】
前記制御部は、
前記記憶部から読み出した前記適応症情報が複数の適応症を示し、かつ、前記処方量が前記複数の適応症のいずれかの前記最小通常用量から前記最大通常用量までの範囲外である場合、前記グラフにおいて、前記処方量が前記最小通常用量から前記最大通常用量までの範囲外である適応症の表示を、他の適応症の表示とは異なる形態で表示するように前記表示部を制御する、
請求項１に記載の処方薬管理装置。
【請求項４】
前記記憶部は、
前記薬剤識別情報と、前記適応症情報と、前記最小通常用量情報と、前記最大通常用量情報と、前記最小通常用量を下回って服用すべきと判断された場合の最小量として予め設定された最小投与量情報と、前記最大通常用量を上回って服用すべきと判断された場合の最大量として予め設定された最大投与量情報とを対応付けて記憶し、
前記制御部は、
前記取得部により取得された前記薬剤識別情報に対応する前記適応症情報、前記最小通常用量情報、前記最大通常用量情報、前記最小投与量情報、および前記最大投与量情報を前記記憶部から読み出し、
前記適応症の前記最小通常用量から前記最小投与量までの範囲および前記適応症の前記最大通常用量から前記最大投与量までの範囲を前記グラフにおいて所定形状の画像で示すように前記表示部を制御する、
請求項１に記載の処方薬管理装置。
【請求項５】
前記記憶部は、
前記薬剤との併用を避けるべき薬剤を示す禁忌情報と、前記薬剤を処方された患者に対して過去に処方された薬剤を示す処方済薬剤情報とを記憶し、
前記制御部は、
前記取得部により取得された前記薬剤識別情報に対応する前記禁忌情報と、前記取得部により取得された前記患者を識別可能な患者識別情報に対応する前記処方済薬剤情報とを前記記憶部から読み出し、
前記処方済薬剤情報に示される薬剤が前記禁忌情報に含まれていない場合、前記取得部により取得された前記薬剤識別情報に対応する前記適応症情報、前記最小通常用量情報、および前記最大通常用量情報を前記記憶部から読み出し、前記グラフを表示し、かつ、前記グラフにおいて前記画像を示すように前記表示部を制御する、
請求項１に記載の処方薬管理装置。
【請求項６】
コンピュータが行う処方薬管理方法であって、
薬剤を識別可能な薬剤識別情報と、前記薬剤の処方量を示す処方量情報と、患者の属性を示す患者属性情報とを取得する取得ステップと、
前記薬剤識別情報と、前記薬剤の適応症を示す適応症情報と、前記患者属性情報と、前記薬剤の通常用量の最小量として予め設定された最小通常用量情報と、前記薬剤の通常用量の最大量として予め設定された最大通常用量情報とを対応付けて記憶する記憶部から、前記取得ステップにより取得された前記薬剤識別情報および前記患者属性情報に対応する前記最小通常用量情報および前記最大通常用量情報を前記記憶部から読み出す情報読出ステップと、
前記情報読出ステップにより読み出された前記最小通常用量情報が示す最小通常用量から前記情報読出ステップにより読み出された前記最大通常用量情報が示す最大通常用量までの範囲をグラフで表示し、かつ、前記取得ステップにより取得された前記処方量情報が示す前記処方量を前記グラフにおいて所定形状の画像で示すように表示部を制御する制御ステップと、を含む、
を含む処方薬管理方法。
【請求項７】
薬剤を識別可能な薬剤識別情報と、前記薬剤の処方量を示す処方量情報と、患者の属性を示す患者属性情報とを取得する取得処理と、
前記薬剤識別情報と、前記薬剤の適応症を示す適応症情報と、前記患者属性情報と、前記薬剤の通常用量の最小量として予め設定された最小通常用量情報と、前記薬剤の通常用量の最小量として予め設定された最大通常用量情報とを対応付けて記憶する記憶部から、前記取得処理により取得された前記薬剤識別情報および前記患者属性情報に対応する前記最小通常用量情報および前記最大通常用量情報を前記記憶部から読み出す情報読出処理と、
前記情報読出処理により読み出された前記最小通常用量情報が示す最小通常用量から前記情報読出処理により読み出された前記最大通常用量情報が示す最大通常用量までの範囲をグラフで表示し、かつ、前記取得処理により取得された前記処方量情報が示す前記処方量を前記グラフにおいて所定形状の画像で示すように表示部を制御する制御処理と、をコンピュータに実行させる、
処方薬管理プログラム。
【発明の詳細な説明】
【技術分野】
【０００１】
本発明は、患者に処方される処方薬を管理する処方薬管理装置、処方薬管理方法、および、処方薬管理プログラムに関する。
【背景技術】
【０００２】
従来、医療機関または処方薬局などにおいて、患者に処方される処方薬（単に、薬剤ともいう）の情報をデータベースによって管理するシステムが広く利用されている。このようなデータベースを利用することにより、ユーザ（例えば、薬剤師）は、処方薬を処方する際、処方薬の情報を容易に参照することができる。
【０００３】
例えば、特許文献１には、処方薬ごとに処方監査に関する情報（例えば、処方薬の禁忌、警告などの情報）の項目を表示し、ユーザによる項目の選択を受け付けた場合、その項目の具体的な情報を表示するシステムが開示されている。これにより、ユーザは、処方監査に必要な情報を効率的に把握できるとしている。
【先行技術文献】
【特許文献】
【０００４】
【特許文献１】特開２０１４−１９７４３４号公報
【発明の概要】
【発明が解決しようとする課題】
【０００５】
通常、処方監査の際、薬剤師等は、患者に処方された処方薬の量（以下、処方量という）がその処方薬の適応症の通常用量として適切であるか否かを判断する。しかしながら、特許文献１のシステムでは、処方薬の適応症の通常用量の表示について考慮されておらず、処方量が適切であるか否かを薬剤師等が把握できるものではない。
【０００６】
本発明の目的は、処方量が適切であるか否かをユーザが直感的に把握することができる処方薬管理装置、処方薬管理方法、および、処方薬管理プログラムを提供することである。
【課題を解決するための手段】
【０００７】
本発明の処方薬管理装置は、情報を表示する表示部と、薬剤を識別可能な薬剤識別情報と、前記薬剤の処方量を示す処方量情報とを取得する取得部と、前記薬剤識別情報と、前記薬剤の適応症を示す適応症情報と、患者の属性を示す患者属性情報と、前記薬剤の通常用量の最小量として予め設定された最小通常用量情報と、前記薬剤の通常用量の最大量として予め設定された最大通常用量情報とを対応付けて記憶する記憶部と、前記取得部が前記薬剤識別情報および前記処方量情報とともに前記患者属性情報を取得した場合、前記取得部により取得された前記薬剤識別情報および前記患者属性情報に対応する前記最小通常用量情報および前記最大通常用量情報を前記記憶部から読み出し、前記記憶部から読み出された前記最小通常用量情報が示す最小通常用量から前記記憶部から読み出された前記最大通常用量情報が示す最大通常用量までの範囲をグラフで表示し、かつ、前記取得部により取得された前記処方量情報が示す前記処方量を前記グラフにおいて所定形状の画像で示すように前記表示部を制御する制御部と、を備える。
【０００８】
本発明の処方薬管理方法は、コンピュータが行う処方薬管理方法であって、薬剤を識別可能な薬剤識別情報と、前記薬剤の処方量を示す処方量情報と、患者の属性を示す患者属性情報とを取得する取得ステップと、前記薬剤識別情報と、前記薬剤の適応症を示す適応症情報と、前記患者属性情報と、前記薬剤の通常用量の最小量として予め設定された最小通常用量情報と、前記薬剤の通常用量の最大量として予め設定された最大通常用量情報とを対応付けて記憶する記憶部から、前記取得ステップにより取得された前記薬剤識別情報および前記患者属性情報に対応する前記最小通常用量情報および前記最大通常用量情報を前記記憶部から読み出す情報読出ステップと、前記情報読出ステップにより読み出された前記最小通常用量情報が示す最小通常用量から前記情報読出ステップにより読み出された前記最大通常用量情報が示す最大通常用量までの範囲をグラフで表示し、かつ、前記取得ステップにより取得された前記処方量情報が示す前記処方量を前記グラフにおいて所定形状の画像で示すように表示部を制御する制御ステップと、を含む。
【０００９】
本発明の処方薬管理プログラムは、薬剤を識別可能な薬剤識別情報と、前記薬剤の処方量を示す処方量情報と、患者の属性を示す患者属性情報とを取得する取得処理と、前記薬剤識別情報と、前記薬剤の適応症を示す適応症情報と、前記患者属性情報と、前記薬剤の通常用量の最小量として予め設定された最小通常用量情報と、前記薬剤の通常用量の最小量として予め設定された最大通常用量情報とを対応付けて記憶する記憶部から、前記取得処理により取得された前記薬剤識別情報および前記患者属性情報に対応する前記最小通常用量情報および前記最大通常用量情報を前記記憶部から読み出す情報読出処理と、前記情報読出処理により読み出された前記最小通常用量情報が示す最小通常用量から前記情報読出処理により読み出された前記最大通常用量情報が示す最大通常用量までの範囲をグラフで表示し、かつ、前記取得処理により取得された前記処方量情報が示す前記処方量を前記グラフにおいて所定形状の画像で示すように表示部を制御する制御処理と、をコンピュータに実行させる。
【発明の効果】
【００１０】
本発明によれば、処方量が適切であるか否かをユーザが直感的に把握することができる。
【図面の簡単な説明】
【００１１】
【図１】本発明の実施の形態に係る処方薬管理装置の構成の一例を示す図
【図２】本発明の実施の形態における薬剤情報の一例を示す図
【図３】本発明の実施の形態における患者情報の一例を示す図
【図４】本発明の実施の形態における通常用量情報の一例を示す図
【図５】本発明の実施の形態における通常用量特定処理の処理手順の一例を示す図
【図６】本発明の実施の形態における通常用量特定ステップおよび画像情報生成ステップの処理手順の一例を示す図
【図７】本発明の実施の形態における第１の画像情報の表示例を示す図
【図８】本発明の実施の形態における第２の画像情報の表示例を示す図
【図９】本発明の実施の形態における第３の画像情報の表示例を示す図
【図１０】本発明の実施の形態における第４の画像情報の表示例を示す図
【図１１】本発明の実施の形態における第４の画像情報の表示例を示す図
【図１２】本発明の実施の形態における第４の画像情報の表示例を示す図
【図１３】本発明の実施の形態における第４の画像情報の表示例を示す図
【発明を実施するための形態】
【００１２】
以下、本発明の実施の形態について、図面を参照して詳細に説明する。なお、以下に説明する実施の形態は一例であり、本発明はこの実施の形態により限定されるものではない。
【００１３】
＜処方薬管理装置の構成＞
本発明の実施の形態に係る処方薬管理装置の構成例について説明する。図１は、本実施の形態に係る処方薬管理装置１００の構成の一例を示す図である。
【００１４】
処方薬管理装置１００は、入力部１０、記憶部２０、制御部３０、表示部４０を有する。
【００１５】
入力部１０は、タッチパネル、キーボード、マウスなどの入力装置である。入力部１０は、ユーザ（例えば、薬剤師など）からの指示操作、選択操作などを受け付け、受け付けた操作の内容を制御部３０に出力する。
【００１６】
例えば、入力部１０は、ユーザが、処方情報の入力操作を受け付け、その処方情報を制御部３０に出力する。処方情報は、例えば、患者の属性を示す情報（例えば、患者名、性別、年齢、体重等）、患者に処方された薬剤（処方薬ともいう）の名称を示す情報、患者の病名を示す情報、その薬剤の処方量を示す情報などを含む。入力部１０は、処方情報を取得する取得部の一例に相当する。
【００１７】
記憶部２０は、種々の情報を記憶するメモリまたはハードディスク装置などの記憶デバイスである。記憶部２０は、例えば、薬剤に関する薬剤情報２１、患者に関する患者情報２２、薬剤の通常用量に関する通常用量情報２３を記憶する。これらの情報は、必要に応じ、制御部３０の制御によって更新されてもよい。
【００１８】
ここで、記憶部２０が記憶する薬剤情報２１、患者情報２２、通常用量情報２３の具体例について図面を用いて説明する。
【００１９】
まず、薬剤情報２１について図２を用いて説明する。図２は、薬剤情報２１の例を示す図である。
【００２０】
図２に示すように、薬剤情報２１は、薬剤名２１０、禁忌薬剤名２１１などの情報を含む。
【００２１】
薬剤名２１０は、薬剤の名称を示す情報である。
【００２２】
禁忌薬剤名２１１は、薬剤名２１０に示される薬剤との併用を避けるべき薬剤の名称を示す情報（禁忌情報の一例）である。図２の例では、禁忌薬剤名２１１として１つの名称（「薬剤Ｗ」）を示しているが、禁忌薬剤名２１１は、複数あってもよい。
【００２３】
なお、薬剤情報２１は、図２に示した薬剤名２１０、禁忌薬剤名２１１以外の情報を含んでもよい。例えば、薬剤情報２１は、薬剤を識別可能なコード、薬剤の成分、薬剤の効能効果などを示す情報を含んでもよい。
【００２４】
次に、患者情報２２について図３を用いて説明する。図３は、患者情報２２の例を示す図である。
【００２５】
図３に示すように、患者情報２２は、患者名２２０、性別２２１、年齢２２２、体重２２３、病名２２４、処方薬剤名２２５、処方歴２２６などの情報を含む。
【００２６】
患者名２２０は、患者の氏名を示す情報（患者属性情報の一例）である。
【００２７】
性別２２１は、患者の性別を示す情報（患者属性情報の一例）である。
【００２８】
年齢２２２は、患者の年齢を示す情報（患者属性情報の一例）である。
【００２９】
体重２２３は、患者の体重を示す情報（患者属性情報の一例）である。体重２２３の単位は、キログラム（ｋｇ）である。
【００３０】
病名２２４は、患者の病気の名称を示す情報である。
【００３１】
処方薬剤名２２５は、病名２２４に示される病気に対して過去に処方された薬剤の名称を示す情報（処方済薬剤情報の一例）である。
【００３２】
処方歴２２６は、処方薬剤名２２５に示される薬剤が処方された年月日の情報である。
【００３３】
なお、患者情報２２は、図３に示した患者名２２０、性別２２１、年齢２２２、体重２２３、病名２２４、処方薬剤名２２５、処方歴２２６以外の情報を含んでもよい。例えば、患者情報２２は、患者の体表面積、患者の副作用歴、患者の持つアレルギーなどを示す情報を含んでもよい。また、患者情報２２は、患者名２２０とは別に、患者を識別可能なコードを含んでもよい。
【００３４】
次に、通常用量情報２３について図４を用いて説明する。図４は、通常用量情報２３の例を示す図である。
【００３５】
図４に示すように、通常用量情報２３は、薬剤名２３０、適応症名２３１、性別２３２、年齢２３３、体重２３４、最小通常用量２３５、最大通常用量２３６の情報を含む。
【００３６】
薬剤名２３０は、薬剤の名称を示す情報（薬剤識別情報の一例）である。
【００３７】
適応症名２３１は、薬剤名２３０に示される薬剤の適応症の名称を示す情報である。
【００３８】
性別２３２は、患者の性別を示す情報（患者属性情報の一例）である。
【００３９】
年齢２３３は、患者の年齢を示す情報（患者属性情報の一例）である。
【００４０】
体重２３４は、患者の体重を示す情報（患者属性情報の一例）である。体重２３４の単位は、キログラム（ｋｇ）である。
【００４１】
最小通常用量２３５は、薬剤名２３０に示される薬剤の通常用量の最小量を示す情報である。この最小量は、予め設定された量とする。最小通常用量２３５の単位は、ミリグラム（ｍｇ）である。最小通常用量２３５は、１回あたりの通常用量でもよいし、１日あたりの通常用量でもよい。
【００４２】
最大通常用量２３６は、薬剤名２３０に示される薬剤の通常用量の最大量を示す情報である。この最大量は、予め設定された量とする。最大通常用量２３６の単位は、ミリグラム（ｍｇ）である。最大通常用量２３６は、１回あたりの通常用量でもよいし、１日あたりの通常用量でもよい。
【００４３】
なお、通常用量情報２３は、図４に示した薬剤名２３０、適応症名２３１、性別２３２、年齢２３３、体重２３４、最小通常用量２３５、最大通常用量２３６以外の情報を含んでもよい。例えば、通常用量情報２３は、薬剤名２３０に示される薬剤を最小通常用量２３５を下回って服用すべきと判断された場合の最小量を示す最小投与量、薬剤名２３０に示される薬剤を最大通常用量２３６を上回って服用すべきと判断された場合の最大量を示す最大投与量などを示す情報を含んでもよい。
【００４４】
また、通常用量情報２３は、薬剤名２３０とともに、または、薬剤名２３０の代わりに、薬剤を識別可能な識別コード（薬剤識別情報の一例）を含んでもよい。
【００４５】
以上、記憶部２０が記憶する薬剤情報２１、患者情報２２、通常用量情報２３の具体例について説明した。上述した薬剤情報２１、患者情報２２、および通常用量情報２３に含まれる情報は、ユーザからの入力を受けて、制御部３０が更新してもよいし、図示しない通信部を介して外部装置から情報を受信して、制御部３０が更新してもよい。
【００４６】
以下、図１の説明に戻る。
【００４７】
制御部３０は、処方薬管理装置１００が行う各処理を制御するプロセッサなどの制御デバイスである。制御部３０は、処方監査部３１、通常用量特定部３２を有する。
【００４８】
処方監査部３１は、入力部１０が受け付けた処方情報と、記憶部２０から読み出した薬剤情報２１および患者情報２２とに基づいて、今回処方された薬剤と過去に処方された薬剤との併用に問題があるか否かを判定し、その判定結果を表示するように表示部４０を制御する。この制御の詳細については後述する。
【００４９】
通常用量特定部３２は、入力部１０が受け付けた処方情報と、記憶部２０から読み出した通常用量情報２３とに基づいて、今回処方された薬剤の通常用量を特定し、その特定結果を表示するように表示部４０を制御する。この制御の詳細については後述する。
【００５０】
なお、制御部３０は、入力部１０が受け付けたユーザからの指示操作等に基づいて、記憶部２０に記憶された薬剤情報２１、患者情報２２、通常用量情報２３を更新する処理なども行ってもよい。
【００５１】
表示部４０は、ディスプレイなどの表示装置である。表示部４０は、制御部３０の制御によって情報の表示を行う。表示部４０が表示する情報の詳細については後述する。
【００５２】
＜処方薬管理装置の動作＞
本発明の実施の形態に係る処方薬管理装置の動作例について説明する。以下では、動作例として、処方監査処理および通常用量特定処理のそれぞれの処理手順について説明する。
【００５３】
処方監査処理の処理手順について、図２、図３を用いて説明する。
【００５４】
まず、入力部１０は、ユーザにより手動で入力された処方情報を受け付ける。この処方情報には、例えば、患者の氏名、性別、年齢、体重、患者に処方された薬剤の名称などの情報が含まれる。
【００５５】
次に、処方監査部３１は、処方情報に含まれる薬剤の名称に対応する薬剤情報２１を記憶部２０から読み出す。また、処方監査部３１は、処方情報に含まれる患者の氏名に対応する患者情報２２を記憶部２０から読み出す。
【００５６】
次に、処方監査部３１は、薬剤情報２１の禁忌薬剤名２１１が患者情報２２の処方薬剤名２２５に登録されているか否かを判定する。
【００５７】
判定の結果、禁忌薬剤名２１１が処方薬剤名２２５に登録されていない場合、処方監査部３１は、今回処方された薬剤と過去に処方された薬剤との併用に問題が無い旨を示す情報（例えば、メッセージ等）を生成し、その情報を表示部４０に表示させる。
【００５８】
一方、判定の結果、禁忌薬剤名２１１が処方薬剤名２２５に登録されている場合、処方監査部３１は、今回処方された薬剤と過去に処方された薬剤との併用に問題がある旨を示す情報（例えば、メッセージ等）を生成し、その情報を表示部４０に表示させる。
【００５９】
なお、禁忌薬剤名２１１が処方薬剤名２２５に登録されている場合、処方監査部３１は、更に、処方歴２２６の最新の年月日から現在の年月日までの経過期間が所定期間を超えているか否かを判定してもよい。そして、経過期間が所定期間を超えていれば、処方監査部３１は、今回処方された薬剤と過去に処方された薬剤との併用に問題が無い旨を示す情報を生成し、その情報を表示部４０に表示させるようにてしてもよい。一方、経過期間が所定期間を超えていなければ、処方監査部３１は、今回処方された薬剤と過去に処方された薬剤との併用に問題がある旨を示す情報を生成し、その情報を表示部４０に表示させるようにしてもよい。
【００６０】
このような処方監査処理の処理手順により、ユーザは、今回処方された薬剤と、過去に処方された薬剤との併用に問題があるか否かを容易に把握することができる。なお、上記処方監査処理は一例であり、上記説明に限定されない。
【００６１】
以上、処方監査処理の処理手順について説明した。
【００６２】
次に、通常用量特定処理の処理手順について、図５を用いて説明する。図５は、本発明の実施形態における通常用量特定処理の処理手順の一例を示す図である。以下に説明する通常用量特定処理は、処方監査処理において今回処方された薬剤と過去に処方された薬剤との併用に問題が無いと判定された場合に行われてもよいし、処方監査処理とは関係なく単独で行われてもよい。
【００６３】
まず、入力部１０は、ユーザにより手動で入力された処方情報を受け付ける（ステップＳ１１）。この処方情報には、例えば、患者の氏名、性別、年齢、体重、患者に処方された薬剤の名称などの情報が含まれる。
【００６４】
次に、通常用量特定部３２は、処方情報に含まれる薬剤の名称に対応する通常用量情報２３を記憶部２０から読み出す（ステップＳ１２）。例えば、処方情報に薬剤の名称として「薬剤Ｘ」が含まれる場合、通常用量特定部３２は、図４に示した通常用量情報２３のうち、薬剤名２３０の「薬剤Ｘ」に対応する適応症名２３１、性別２３２、年齢２３３、体重２３４、最小通常用量２３５、最大通常用量２３６の各情報を全て読み出す。
【００６５】
次に、通常用量特定部３２は、処方情報と通常用量情報２３に基づいて、今回処方された薬剤の通常用量を特定する（ステップＳ１３）。このステップの詳細については図６を用いて後述する。
【００６６】
次に、通常用量特定部３２は、特定した通常用量の情報を含む画像情報を生成する（ステップＳ１４）。このステップの詳細については図６を用いて後述する。
【００６７】
次に、通常用量特定部３２は、生成した画像情報の表示を行うように表示部４０を制御する（ステップＳ１５）。これにより、表示部４０には、今回処方された薬剤の通常用量が表示される。この表示部４０の表示画面の詳細については図７〜図１３を用いて後述する。
【００６８】
以上、通常用量特定処理の処理手順について説明した。
【００６９】
次に、上述した通常用量判定処理のステップＳ１３およびステップＳ１４の詳細について、図６を用いて説明する。図６は、ステップＳ１３、Ｓ１４の処理手順の一例を示す図である。図６のステップＳ２１〜Ｓ２３、Ｓ２５、Ｓ２７、Ｓ２８、Ｓ３０は、図５に示したステップＳ１３に対応する。また、図６のステップＳ２４、Ｓ２６、Ｓ２９、Ｓ３１は、図５に示したステップＳ１４に対応する。
【００７０】
まず、通常用量特定部３２は、図５のステップＳ１１において入力された処方情報に病名が含まれているか否かを判定する（ステップＳ２１）。ここでいう病名とは、患者がかかっている病気の名称である。
【００７１】
ステップＳ２１の判定処理の結果、処方情報に病名が含まれている場合（ステップＳ２１：ＹＥＳ）、フローはステップＳ２７へ進む。ステップＳ２７以降については後述する。
【００７２】
一方、ステップＳ２１の判定処理の結果、処方情報に病名が含まれていない場合（ステップＳ２１：ＮＯ）、フローはステップＳ２２へ進む。
【００７３】
次に、通常用量特定部３２は、図５のステップＳ１１において入力された処方情報に処方量が含まれているか否かを判定する（ステップＳ２２）。ここでいう処方量とは、患者に処方された薬剤の量である。
【００７４】
ステップＳ２２の判定処理の結果、処方情報に処方量が含まれている場合（ステップＳ２２：ＹＥＳ）、フローはステップＳ２５へ進む。ステップＳ２５以降については後述する。
【００７５】
一方、ステップＳ２２の判定処理の結果、処方情報に処方量が含まれていない場合（ステップＳ２２：ＮＯ）、フローはステップＳ２３へ進む。
【００７６】
処方情報に、病名が含まれておらず（ステップＳ２１：ＮＯ）、かつ、処方量が含まれていない場合（ステップＳ２２：ＮＯ）、通常用量特定部３２は、記憶部２０から読み出した通常用量情報２３において、処方された薬剤に対応付けられている全ての適応症のそれぞれについて、処方情報に含まれる患者の性別、年齢、体重に対応する通常用量を特定する（ステップＳ２３）。ここで特定される通常用量は、図４に示した最小通常用量２３５と最大通常用量２３６である。例えば、処方情報に含まれる薬剤の名称が「薬剤Ｘ」であり、処方情報に含まれる患者の性別、年齢、体重がそれぞれ「男性」、「１才」、「７．２ｋｇ」である場合、通常用量特定部３２は、図４に示した通常用量情報２３において、「薬剤Ｘ」に対応する適応症名「ａ」について最小通常用量「５．０ｍｇ」、最大通常用量「８．５ｍｇ」を特定する。同様に、通常用量特定部３２は、「薬剤Ｘ」に対応する適応症名「ｂ」についても、処方情報に含まれる患者の性別、年齢、体重に対応する最小通常用量および最大通常用量を特定する。
【００７７】
そして、通常用量特定部３２は、特定した全ての適応症の通常用量の情報、および、入力された処方情報を含む第１の画像情報を生成する（ステップＳ２４）。その後、表示部４０は、通常用量特定部３２の制御により、第１の画像情報の表示を行う。
【００７８】
ここで、第１の画像情報の表示例について図７を用いて説明する。図７は、表示部４０の画面に表示された第１の画像情報の一例を示す図である。
【００７９】
図７に示すように、表示部４０の画面には、患者の属性を示す患者属性情報５０として、患者名５１、性別５２、年齢５３、体重５４が表示される。患者名５１、性別５２、年齢５３、体重５４は、処方情報として入力された情報である。
【００８０】
また、図７に示すように、表示部４０の画面には、薬剤名５６が表示される。薬剤名５６は、処方情報として入力された情報である。なお、図７の例では、処方情報として入力されなかった病名５５および処方量５７は表示されない。
【００８１】
また、図７に示すように、表示部４０の画面には、薬剤名５６の全ての適応症名５８が表示され、適応症名５８ごとに通常用量５９がグラフで表示される。適応症名５８は、薬剤名５６に基づいて通常用量情報２３において特定された情報である。通常用量５９は、処方情報として入力された患者の性別、年齢、体重に基づいて通常用量情報２３において特定された情報である。図７の例では、通常用量５９として、矩形画像６０ａ〜６０ｃが表示されている。矩形画像６０ａは、適応症ａの最小通常用量から最大通常用量までの範囲を示している。矩形画像６０ｂは、適応症ｂの最小通常用量から最大通常用量までの範囲を示している。矩形画像６０ｃは、適応症ｃの最小通常用量から最大通常用量までの範囲を示している。
【００８２】
このような表示画面により、ユーザは、処方された薬剤の全ての適応症の最小通常用量と最大通常用量を直感的に把握できる。
【００８３】
以上、第１の画像情報の表示例について説明した。以下、図６のフローの説明に戻る。
【００８４】
処方情報に、病名が含まれておらず（ステップＳ２１：ＮＯ）、かつ、処方量が含まれている場合（ステップＳ２２：ＹＥＳ）、通常用量特定部３２は、記憶部２０から読み出した通常用量情報２３において、処方された薬剤に対応付けられている全ての適応症のそれぞれについて、処方情報に含まれる患者の性別、年齢、体重に対応する通常用量を特定する（ステップＳ２５）。ここで特定される通常用量は、図４に示した最小通常用量２３５と最大通常用量２３６である。ここでの最小通常用量２３５および最大通常用量２３６の特定方法の具体例については、上記ステップＳ２３と同様であるので、その説明は省略する。
【００８５】
そして、通常用量特定部３２は、特定した全ての適応症の通常用量の情報、および、入力された処方情報を含む第２の画像情報を生成する（ステップＳ２６）。その後、表示部４０は、通常用量特定部３２の制御により、第２の画像情報の表示を行う。
【００８６】
ここで、第２の画像情報の表示例について図８を用いて説明する。図８は、表示部４０の画面に表示された第２の画像情報の一例を示す図である。
【００８７】
図８に示すように、表示部４０の画面には、図７と同様に、患者属性情報５０（患者名５１、性別５２、年齢５３、体重５４）および薬剤名５６が表示される。
【００８８】
また、図８に示すように、表示部４０の画面には、処方量５７が表示される。処方量５７は、処方情報として入力された情報である。なお、図８の例では、処方情報として入力されなかった病名５５は表示されない。
【００８９】
また、図８に示すように、表示部４０の画面には、図７と同様に、薬剤名５６の全ての適応症名５８が表示され、適応症名５８ごとに通常用量５９（矩形画像６０ａ〜６０ｃ）がグラフで表示される。図８の例では、さらに、処方量５７を示す矩形画像７０（第２の画像の一例）が表示される。矩形画像７０は、矩形画像６０ｂおよび矩形画像６０ｃに重畳して表示される。
【００９０】
このような表示画面により、ユーザは、処方された薬剤の全ての適応症の最小通常用量と最大通常用量を直感的に把握でき、かつ、適応症ごとに処方量が適切であるか否か（処方量が最小通常用量と最大通常用量の間の範囲内であるか否か）を直感的に把握できる。
【００９１】
以上、第２の画像情報の表示例について説明した。以下、図６のフローの説明に戻る。
【００９２】
ステップＳ２１の判定処理の結果、処方情報に病名が含まれている場合（ステップＳ２１：ＹＥＳ）、通常用量特定部３２は、処方情報に処方量が含まれているか否かを判定する（ステップＳ２７）。ここでいう処方量とは、患者に処方された薬剤の量である。
【００９３】
ステップＳ２７の判定処理の結果、処方情報に処方量が含まれている場合（ステップＳ２７：ＹＥＳ）、フローはステップＳ３０へ進む。ステップＳ３０以降については後述する。
【００９４】
一方、ステップＳ２７の判定処理の結果、処方情報に処方量が含まれている場合（ステップＳ２７：ＮＯ）、フローはステップＳ２８へ進む。
【００９５】
処方情報に、病名が含まれており（ステップＳ２１：ＹＥＳ）、かつ、処方量が含まれていない場合（ステップＳ２７：ＮＯ）、通常用量特定部３２は、記憶部２０から読み出した通常用量情報２３において、処方された薬剤に対応付けられている適応症のうち、入力された病名と同じ名称である適応症について、処方情報に含まれる患者の性別、年齢、体重に対応する通常用量を特定する（ステップＳ２８）。ここで特定される通常用量は、図４に示した最小通常用量２３５と最大通常用量２３６である。例えば、処方情報に含まれる薬剤の名称、病名がそれぞれ「薬剤Ｘ」、「ｂ」であり、処方情報に含まれる患者の性別、年齢、体重がそれぞれ「男性」、「１才」、「７．２ｋｇ」である場合、通常用量特定部３２は、図４に示した通常用量情報２３において、適応症名「ｂ」のみについて、「男性」、「１才」、「７．２ｋｇ」に対応する最小通常用量（図示略）および最大通常用量（図示略）を特定する。すなわち、この場合では、通常用量特定部３２は、適応症名「ｂ」以外の適応症については、最小通常用量および最大通常用量を特定しない。
【００９６】
そして、通常用量特定部３２は、特定した適応症の通常用量の情報、および、入力された処方情報を含む第３の画像情報を生成する（ステップＳ２９）。その後、表示部４０は、通常用量特定部３２の制御により、第３の画像情報の表示を行う。
【００９７】
ここで、第３の画像情報の表示例について図９を用いて説明する。図９は、表示部４０の画面に表示された第３の画像情報の一例を示す図である。
【００９８】
図９に示すように、表示部４０の画面には、図７と同様に、患者属性情報５０（患者名５１、性別５２、年齢５３、体重５４）および薬剤名５６が表示される。
【００９９】
また、図９に示すように、表示部４０の画面には、病名５５が表示される。病名５５は、処方情報として入力された情報である。なお、図９の例では、処方情報として入力されなかった処方量５７は表示されない。
【０１００】
また、図９に示すように、表示部４０の画面には、入力された病名５５と同じ名称の適応症名５８のみが表示され、その適応症名５８に対応する通常用量５９（矩形画像６０ｂ）のみがグラフで表示される。矩形画像６０ｂは、矩形画像６０ｂに重畳して表示される。
【０１０１】
このような表示画面により、ユーザは、入力された適応症の最小通常用量と最大通常用量を直感的に把握できる。
【０１０２】
以上、第３の画像情報の表示例について説明した。以下、図６のフローの説明に戻る。
【０１０３】
処方情報に、病名が含まれており（ステップＳ２１：ＹＥＳ）、かつ、処方量が含まれている場合（ステップＳ２７：ＹＥＳ）、通常用量特定部３２は、記憶部２０から読み出した通常用量情報２３において、処方された薬剤に対応付けられている適応症のうち、入力された病名と同じ名称の適応症について、処方情報に含まれる患者の性別、年齢、体重に対応する通常用量を特定する（ステップＳ３０）。ここで特定される通常用量は、図４に示した最小通常用量２３５と最大通常用量２３６である。ここでの最小通常用量２３５および最大通常用量２３６の特定方法の具体例については、上記ステップＳ２８と同様であるので、その説明は省略する。
【０１０４】
そして、通常用量特定部３２は、特定した適応症の通常用量の情報、および、入力された処方情報を含む第４の画像情報を生成する（ステップＳ３１）。その後、表示部４０は、通常用量特定部３２の制御により、第４の画像情報の表示を行う。
【０１０５】
ここで、第４の画像情報の表示例について図１０、図１１を用いて説明する。図１０および図１１は、表示部４０の画面に表示された第４の画像情報の一例を示す図である。
【０１０６】
まず、図１０について説明する。
【０１０７】
図１０に示すように、表示部４０の画面には、図７と同様に、患者属性情報５０（患者名５１、性別５２、年齢５３、体重５４）および薬剤名５６が表示される。
【０１０８】
また、図１０に示すように、表示部４０の画面には、病名５５および処方量５７が表示される。病名５５および処方量５７は、処方情報として入力された情報である。
【０１０９】
また、図１０に示すように、表示部４０の画面には、入力された病名５５と同じ名称の適応症名５８が表示され、適応症名５８に対応する通常用量５９（矩形画像６０ｂ）がグラフで表示される。図９の例では、さらに、処方量５７を示す矩形画像７１（第２の画像の一例）が表示される。
【０１１０】
次に、図１１について説明する。図１０では、入力された処方量５７が通常用量５９の範囲内である場合の表示例を示したが、図１１では、入力された処方量５７が通常用量５９の範囲外である場合の表示例を示す。
【０１１１】
図１１に示すように、表示部４０の画面には、図１０と同様に、適応症名５８に対応する通常用量５９（矩形画像６０ｂ）が表示されるが、処方量５７を示す矩形画像７１が矩形画像６０ｂに重畳されずに表示される。
【０１１２】
このような表示画面により、ユーザは、入力された適応症の最小通常用量と最大通常用量を直感的に把握でき、かつ、入力された処方量が適切であるか否か（処方量が最小通常用量と最大通常用量の間の範囲内であるか否か）を直感的に把握できる。
【０１１３】
なお、上述した第４の画像情報の表示例では、図１０、図１１に示すように、適応症名５８として、入力された病名５５と同じ「ｂ」のみを表示し、通常用量５９として、矩形画像６０ｂのみを表示する例としたが、例えば、図８と同様に、入力された薬剤名５６に対応付けられている全ての適応症名５８（ａ〜ｃ）と、それらに対応する通常用量５９（矩形画像６０ａ〜６０ｃ）とを表示してもよい。
【０１１４】
その場合において、入力された処方量５７が、入力された病名５５の通常用量５９の範囲外であるときは、入力された病名５５と同じ適応症名５８およびそれに対応する通常用量５９を、他の適応症名５８およびそれに対応する通常用量５９と異なる形態（例えば、色、模様、形状など）で表示してもよい。この例を図１２に示す。
【０１１５】
図１２は、入力された処方量５７（８０ｍｇ）が、入力された病名５５（ｂ）の通常用量５９の範囲外である場合の表示例を示している。図１２に示すように、適応症名５８においてｂがａ、ｃと異なる形態で表示され、かつ、通常用量５９において矩形画像６０ｂが矩形画像６０ａ、６０ｃと異なる形態で表示されている。すなわち、入力された病名５５と同じ適応症名５８であるｂのみがａ、ｃとは異なる形態で表示されている。これにより、ユーザは、入力された処方量が適切ではないことをさらに直感的に把握できる。なお、図１２の例では、適応症名５８および通常用量５９の両方を異なる形態で表示するとしたが、適応症名５８および通常用量５９のいずれかのみを異なる形態で表示するようにしてもよい。
【０１１６】
以上説明したように、本実施の形態の処方薬管理装置１００によれば、ユーザは、処方された薬剤の適応症の最小通常用量と最大通常用量を直感的に把握でき、かつ、処方された薬剤の処方量が通常用量として適切であるか否かを直感的に把握できる。
【０１１７】
なお、本発明は上記実施の形態に限定されるものではなく、種々の変形が可能である。
【０１１８】
例えば、上記実施の形態では、所定の適応症の最小通常用量から最大通常用量までの範囲を示す画像（例えば、矩形画像６０ａ〜６０ｃ）および処方量を示す画像（例えば、矩形画像７０、７１）を矩形としたが、これに限定されない。画像の形状は、例えば、楕円、直線、矢印、その他の形状であってもよい。
【０１１９】
例えば、上記実施の形態では、ユーザが入力部１０において手動で処方情報を入力する例について説明したが、処方情報を電子データで構成してもよい。その場合、例えば、処方薬管理装置１００は、所定の通信網を介して情報を受信可能な受信部（取得部の一例）を備え、その受信部により処方情報を取得してもよい。または、例えば、処方薬管理装置１００は、記録媒体から情報を読み取り可能な読取部（取得部の一例）を備え、その読取部により記録媒体から処方情報を取得してもよい。
【０１２０】
また、上記実施の形態では、処方情報として、処方された薬剤の名称の情報および患者の属性情報の全部（例えば、年齢、性別、体重を示す情報）が入力された場合に、その処方情報に基づいて、処方された薬剤の適応症の最小通常用量および最大通常用量が特定されるとしたが、これに限定されない。例えば、処方された薬剤の名称の情報とともに、患者の属性情報の少なくとも１つ（例えば、年齢、性別、体重のいずれか１つを示す情報）が入力された場合でも、処方された薬剤の適応症の最小通常用量および最大通常用量が特定されるようにしてもよい。その場合、通常用量特定部３２が特定に用いる通常用量情報では、薬剤名、その適応症、および年齢ごとに、標準的な最小通常用量および標準的な最大通常用量が対応付けられていればよい。また、上記通常用量情報では、薬剤名、その適応症、および性別ごとに、標準的な最小通常用量および標準的な最大通常用量が対応付けられていればよい。または、上記通常用量情報では、薬剤名、その適応症、および体重ごとに、標準的な最小通常用量および標準的な最大通常用量が対応付けられていればよい。
【０１２１】
また、上記実施の形態では、処方情報として、処方された薬剤の名称の情報および患者の属性情報が入力された場合に、その処方情報に基づいて、処方された薬剤の適応症の最小通常用量および最大通常用量が特定されるとしたが、患者の属性情報の入力がなくても、処方された薬剤の名称の情報に基づいて、その薬剤の適応症の最小通常用量および最大通常用量が特定されるようにしてもよい。この場合、通常用量特定部３２が特定に用いる通常用量情報では、薬剤名およびその適応症ごとに、標準的な最小通常用量および標準的な最大通常用量が対応付けられていればよい。
【０１２２】
また、上記実施の形態では、通常用量５９として、最小通常用量および最大通常用量をグラフで表示するとしたが、それらとともに最小投与量および最大投与量をグラフで表示してもよい。上述したとおり、最小投与量とは、最小通常用量を下回って服用すべきと判断された場合の最小量であり、最大投与量とは、最大通常用量を上回って服用すべきと判断された場合の最大量である。この最小投与量および最大投与量は、予め設定された量とする。最大投与量および最大投与量は、通常用量情報２３において、薬剤名およびその適応症ごとに、または、薬剤名、その適応症、患者の性別、年齢、体重ごとに、登録されている。最小投与量および最大投与量の表示例を図１３に示す。
【０１２３】
図１３は、図１０に示した表示例においてさらに最小投与量および最大投与量が表示された例を示す。図１３に示すように、矩形画像６０ｂの両端には、矩形画像６０ｂと異なる形態の矩形画像８０ａおよび矩形画像８０ｂが表示されている。矩形画像８０ａは、最小投与量と最小通常用量との間の範囲を示している。矩形画像８０ｂは、最大投与量と最大通常用量との間の範囲を示している。これにより、ユーザは、処方された薬剤の適応症について、最小通常用量および最大通常用量だけでなく、最小投与量および最大投与量も直感的に把握できる。なお、ここで説明した最小投与量および最大投与量の画像表示は、図７〜図９、図１１〜図１２においても適用可能である。また、最小投与量および最大投与量を示す画像の形状は、矩形に限定されない。
【０１２４】
また、上記実施の形態では、処方薬管理装置１００が入力部１０、記憶部２０、表示部４０を備える構成としたが、入力部１０、記憶部２０、表示部４０のうち少なくとも一部は、処方薬管理装置１００とは別に設けられてもよい。また、上記実施の形態では、制御部３０が処方監査部３１、通常用量特定部３２を備える構成としたが、制御部３０は、少なくとも通常用量特定部３２を備えればよい。
【０１２５】
以上、本発明に係る実施形態について図面を参照して詳述してきたが、上述した処方薬管理装置１００の各機能は、コンピュータプログラムにより実現され得る。
【０１２６】
具体的には、コンピュータが備えるＣＰＵ（Central Processing Unit）が、記憶装置に記憶されたプログラムをＲＡＭにコピーし、そのプログラムに含まれる命令をＲＡＭから順次読み出して実行することにより、上記各装置の機能が実現される。
【産業上の利用可能性】
【０１２７】
本発明にかかる処方薬管理装置、処方薬管理方法、および、処方薬管理プログラムは、処方箋に記載された薬剤の通常用量をユーザに提示するのに好適である。
【符号の説明】
【０１２８】
１０  入力部
２０  記憶部
３０  制御部
４０  表示部
２１  薬剤情報
２２  患者情報
２３  通常用量情報
３１  処方監査部
３２  通常用量特定部
１００  処方薬管理装置
【図１】
0006558678.tif 000002
【図２】
0006558678.tif 000003
【図３】
0006558678.tif 000004
【図４】
0006558678.tif 000005
【図５】
0006558678.tif 000006
【図６】
0006558678.tif 000007
【図７】
0006558678.tif 000008
【図８】
0006558678.tif 000009
【図９】
0006558678.tif 000010
【図１０】
0006558678.tif 000011
【図１１】
0006558678.tif 000012
【図１２】
0006558678.tif 000013
【図１３】
0006558678.tif 000014